(57)【要約】【課題】  複数本の信号ケーブルの配線処理を見苦しくないようにすると共に樹脂製のケーブルホルダの数を減らすことができるようにすることを目的とする。【解決手段】  薄型テレビジョン受像機用スタンドは、床面等に載置されるスタンドベース２と、このスタンドベース２上に固定された所定長の底板３と、この底板３の長手方向の一端及び他端上に夫々固定した第１及び第２の側柱４及び５と、この第１及び第２の側柱４お５上に架設し且つ固定した天板６と、この天板６上に固定した薄型のテレビジョン受像機の固定部８と、この底板３上に固定した電子機器の載置棚９とを有し、この天板６、この第１及び第２の側柱４及び５並びにこの底板３の一部の後方に連続したケーブル収納用溝３ａ、４ａ、６ａ、５ａ及び３ｂを設けたものである。【選択図】        図１
2007027873.tif 000002
【特許請求の範囲】
【請求項１】
床面等に載置されるスタンドベースと、
該スタンドベース上に固定された所定長の底板と、
該底板の長手方向の一端及び他端上に夫々固定した第１及び第２の側柱と、
該第１及び第２の側柱上に架設し且つ固定した天板と、
該天板上に固定した薄型のテレビジョン受像機の固定部と、
前記底板上に固定した電子機器の載置棚とを有し、
前記天板、前記第１及び第２の側柱並びに前記底板の一部の後方に連続したケーブル収納用溝を設けたことを特徴とする薄型テレビジョン受像機用スタンド。
【請求項２】
請求項１記載の薄型テレビジョン受像機用スタンドにおいて、
前記底板、前記第１及び第２の側柱及び前記天板を夫々ＭＤＦで形成したことを特徴とする薄型テレビジョン受像機用スタンド。
【請求項３】
請求項２記載の薄型テレビジョン受像機用スタンドにおいて、
前記天板に補強フレームを設けたことを特徴とする薄型テレビジョン受像機用スタンド。
【請求項４】
請求項１記載の薄型テレビジョン受像機用スタンドにおいて、
前記連続したケーブル収納用溝に複数個のケーブルホルダを設けたことを特徴とする薄型テレビジョン受像機用スタンド。
【請求項５】
請求項３記載の薄型テレビジョン受像機用スタンドにおいて、
前記補強フレームにケーブルホルダを設けたことを特徴とする薄型テレビジョン受像機用スタンド。
【請求項６】
請求項１記載の薄型テレビジョン受像機用スタンドにおいて、
前記第１及び第２の側柱のケーブル収納用溝に夫々カバーを設けたことを特徴とする薄型テレビジョン受像機用スタンド。
【発明の詳細な説明】
【技術分野】
【０００１】
本発明は、ＤＶＤ（Digital Versatile Disc）プレーヤ等の電子機器の載置棚を有する液晶テレビジョン受像機、プラズマテレビジョン受像機等の薄型テレビジョン受像機用スタンドに関する。
【背景技術】
【０００２】
近年、液晶テレビジョン受像機、プラズマテレビジョン受像機等の薄型テレビジョン受像機が普及している。
【０００３】
斯かる、薄型テレビジョン受像機用スタンドとして、床面等に載置されるスタンドベース上に２本のスタンド支柱を植立固定し、この２本のスタンド支柱に薄型テレビジョン受像機を支持固定するようにしたものがある（特許文献１参照）。
【特許文献１】特開２００１−３４１７９号公報
【発明の開示】
【発明が解決しようとする課題】
【０００４】
ところで、斯かる薄型テレビジョン受像機用スタンドに関連して、例えばＤＶＤプレーヤを載置し、このＤＶＤプレーヤにより再生した映像及び音声をこの薄型テレビジョン受像機で視聴するようにしたときには、この薄型テレビジョン受像機とこのＤＶＤプレーヤとを複数本の信号ケーブルで接続する必要がある。
【０００５】
然しながら、従来は、この複数本の信号ケーブルを配線処理するのに樹脂製のケーブルホルダのみで行っていたので、この複数本の信号ケーブルが全て飛び出した状態で見えてしまい見苦しい不都合があった。
【０００６】
また、この樹脂製のケーブルホルダのない部分では、この複数本の信号ケーブルの固定ができないので、この複数本の信号ケーブルがフリー状態となり配線処理が安定せず、この樹脂製のケーブルホルダの数量を増やす必要があつた。
【０００７】
本発明は、斯かる点に鑑み、複数本の信号ケーブルの配線処理を見苦しくないようにすると共に樹脂製のケーブルホルダの数を減らすことができるようにすることを目的とする。
【課題を解決するための手段】
【０００８】
本発明、薄型テレビジョン受像機用スタンドは、床面等に載置されるスタンドベースと、このスタンドベース上に固定された所定長の底板と、この底板の長手方向の一端及び他端上に夫々固定した第１及び第２の側柱と、この第１及び第２の側柱上に架設し且つ固定した天板と、この天板上に固定した薄型のテレビジョン受像機の固定部と、この底板上に固定した電子機器の載置棚とを有し、この天板、この第１及び第２の側柱並びにこの底板の一部の後方に連続したケーブル収納用溝を設けたものである。
【発明の効果】
【０００９】
本発明によれば、天板、第１及び第２の側柱並びに底板の一部の後方に連続したケーブル収納用溝を設けたので、薄型テレビジョン受像機とＤＶＤプレーヤ等の電子機器とを複数本の信号ケーブルで接続したときに、この複数本の信号ケーブルの配線処理をこのケーブル収納用溝で行うので、この複数本の信号ケーブルをスタンド本体から極力飛び出さないようにでき、見苦しくなることはない。
【００１０】
また、本発明によれば、ケーブル収納用溝があるので、複数本の信号ケーブルの処理ルートができており、処理用の樹脂製のケーブルホルダの数量を最小限にすることができる。
【発明を実施するための最良の形態】
【００１１】
以下、図面を参照して本発明薄型テレビジョン受像機用スタンドを実施するための最良の形態の例につき説明に供する。
【００１２】
図１は、本例による薄型テレビジョン受像機用スタンドの後ろ側から見た斜視図、図２は図１の分解斜視図、図３は本例による薄型テレビジョン受像機用スタンドに液晶テレビジョン受像機、プラズマテレビジョン受像機等の薄型テレビジョン受像機１を固定した前方から見た斜視図である。
【００１３】
この図１〜図３において、２は比較的重量の重い例えば鉄板等より成り、床面等に載置される略円形状のスタンドベースを示し、このスタンドベース２の床面等に載置される底面側に例えば平板状の複数個のゴム脚を設け、このスタンドベース２が安定に載置されるようにするを可とする。
【００１４】
このスタンドベース２上に、このスタンドベース２の中心を横切りこのスタンドベース２の直径よりもやや長い直方体より成る底板３をビス等により固定する。
【００１５】
この底板３を本例においてはＭＤＦ（Ｍｅｄｉｕｍ  Ｄｅｎｓｉｔｙ  Ｆｉｂｅｒｂｏａｄ）により形成する。このＭＤＦとは、最新鋭の生産ラインにより抽出された木材繊維に良質な接着剤を添加して成形熱圧した木質素材である。このＭＤＦは板面が緻密で平滑であり、表面塗装やオーバーレイ加工に適しており、また、木材繊維を方向性を与えずに製造するので高精度な均質を有し、耐摩耗性、遮音性、断熱性、耐寒性に優れている。
【００１６】
この底板３の長手方向の一端及び他端上に所定高さで、幅がこの底板３の幅と等しい側柱４及び５を接着、その他周知の方法で固定する。この側柱４及び５を本例においては上述ＭＤＦで形成する。
【００１７】
この側柱４及び５上に幅がこの側柱４、5の幅と等しく、長さが底板３の長さと等しい天板６を架設し且つ接着、その他周知の方法で固定する。この天板６を本例においては上述ＭＤＦで形成する。また、本例においては、この天板６の下側内部に後述する天板６のケーブル収納用溝６ａの長さと等しい長さのコ字状の板金より成る補強フレーム７をビス等で固定して設ける。この補強フレーム７の長さは天板６の補強に十分な天板６よりやや短い長さとする。
【００１８】
この天板６上の中央部に薄型テレビジョン受像機１の固定部に係合し、この薄型テレビジョン受像機１を固定する所定形状のセット固定部８をビス等で固定して設ける。
【００１９】
また、本例においては、底板３上に略長方形状の強化ガラス等より成るＤＶＤプレーヤ等の電子機器２０を載置する載置棚９をビス等で固定する。
【００２０】
本例においては、この天板６の後方に複数本の信号ケーブル１０を収納するケーブル収納用溝６ａを形成し、側柱４及び５の後方に複数本の信号ケーブル１０を収納するケーブル収納用溝４ａ及び５ａを形成し、また底板３の側柱４及び５の夫々の下部の一部の後方に複数本の信号ケーブル１０を収納するケーブル収納用溝３ａ及び３ｂを形成し、この底板３のケーブル収納用溝３ａ、側柱４のケーブル収納用溝４ａ、天板６のケーブル収納用溝６ａ、側柱５のケーブル収納用溝５ａ及び底板３のケーブル収納用溝３ｂが連続するようにする。  
【００２１】
この場合、このケーブル収納用溝３ａ、３ｂ、４ａ、５ａ、６ａの溝の後面よりの深さは夫々略等しく、複数本の信号ケーブル１０を収納するのに十分な深さとする。また、底板３のケーブル収納用溝３ａ及び３ｂの長さは、複数本の信号ケーブル１０を載置棚９の下側に対応させるに十分な長さとする。
【００２２】
また、側柱４及び５のケーブル収納用溝４ａ及び５ａは、夫々全高さに亘るＵ字状溝であり、天板６のケーブル収納用溝６ａは図４に図１Ａ−Ａ線断面図で示す如く、天板６の後方下面と補強フレーム７の後方面とで形成する「状溝である。
【００２３】
本例においては、図１、図２に示す如くこの側柱４及び５のケーブル収納用溝４ａ及び５ａの夫々の上方及び下方の２箇所に図５Ａ、Ｂに示す如きナイロン等の樹脂より成る樹脂製のケーブルホルダ１１を設ける。このケーブルホルダ１１は周知の如く形成されたもので、ビスによりケーブル収納用溝４ａ及び５ａの底面に固定するとうにしたものであり、図５Ａは開いた状態であり、この状態で複数本の信号ケーブル１０を挿入し、その後図５Ｂに示す如く、係合部１１ａを押し込んで弾性力により復帰係合して、このケーブルホルダ１１を閉状態とするようにしたものである。
【００２４】
また、本例においては、図１、図２に示す如くこの天板６のケーブル収納用溝６ａの４箇所に図６Ａ、Ｂに示す如きナイロン等の樹脂より成る樹脂製のケーブルホルダ１２を設ける。このケーブルホルダ１２は周知の如く形成されたもので、このケーブル収納用溝６ａにおいては、このケーブルホルダ１２を補強フレーム７の後面に固定する。
【００２５】
このケーブルホルダ１２の固定部１２ａを所謂アンカー構成とし、この固定部１２ａを補強フレーム７に形成された孔に押し込んで、弾性力により復帰係合して、このケーブルホルダ１２をこの補強フレーム７にこていする。
【００２６】
図６Ａは、このケーブルホルダ１２の開いた状態であり、この状態で複数本の信号ケーブル１０を挿入し、その後図６Ｂに示す如く、係合部１２ｂを押し込んで弾性力により復帰係合して、このケーブルホルダ１２を閉状態とするようにしたものである。
【００２７】
本例は上述如く構成されているので、図７に示すように、載置棚９に例えばＤＶＤプレーヤ２０を載置し、このＤＶＤプレーヤ２０により再生した映像及び音声をこの薄型テレビジョン受像機用スタンドのセット固定部８に固定した薄型テレビジョン受像機１で視聴するようにしたときには、この薄型テレビジョン受像機１とこのＤＶＤプレーヤ２０とを複数本の信号ケーブル１０で接続する
【００２８】
この場合、薄型テレビジョン受像機１の後面に設けた端子部１ａよりの複数本の信号ケーブル１０を天板６の後方のケーブル収納用溝６ａに設けた例えば２個の樹脂製のケーブルホルダ１２、１２で束ねてこのケーブル収納用溝６ａに収納して導くと共に側柱４の後方のケーブル収納用溝４ａに設けた２個の樹脂製のケーブルホルダ１１、１１で束ねてこのケーブル収納用溝に収納して導き、更にこの複数本の信号ケーブル１０を底板３のケーブル収納用溝３ａに導いて、載置棚９の下側に導き、この複数本の信号ケーブル１０をこの載置棚９下側より、この載置棚9上に載置したＤＶＤプレーヤ２０の後面の端子部２０ａに導き電気的接続を行う。
【００２９】
本例によれば、天板６、側柱４及び５並びに底板３の側柱４及び５の夫々の下部の一部の後方に連続したケーブル収納用溝３ａ、４ａ、６ａ、５ａ及び３ａを設けたので、薄型テレビジョン受像機１とＤＶＤプレーヤ２０とを複数本の信号ケーブル１０で接続したときに、この複数本の信号ケーブル１０の配線処理をこのケーブル収納用溝３ａ、４ａ、６ａで行うので、この複数本の信号ケーブル１０をスタンド本体から極力飛び出さないようにでき、見苦しくなることはない。
【００３０】
また、本例によれば、ケーブル収納用溝３ａ、４ａ、６ａ、５ａ、３ｂがあるので、複数本の信号ケーブル１０の処理ルートができており、処理用の樹脂製のケーブルホルダ１１、１２の数量を最小限にすることができる。
【００３１】
図８は本発明を実施するための最良の形態の他の例を示す。この図８例につき説明するに、図１例に対応する部分には同一符号を付しその詳細説明は省略する。
【００３２】
図１例において側柱４及び５のケーブル収納用溝４ａ及び５ａに樹脂製のケーブルホルダ１１、１１、１１、１１を設けたが、図８例においては、この樹脂製のケーブルホルダ１１、１１、１１、１１の代わりに樹脂製のカバー１３、１３を設けるようにしたものである。その他は図１例と同様に構成したものである。
【００３３】
図８例の如く、側柱４及び５のケーブル収納用溝４ａ及び５ａに夫々樹脂製のカバー１３及び１３を設けたときには、この側柱４及び５のケーブル収納用溝４ａ及び５ａの複数本の信号ケーブル１０を体裁面から見えなくすることができる。この図８例においても図１例と同様の作用効果が得られることは勿論である。
【００３４】
尚上述例では、載置棚９にＤＶＤプレーヤ２０を載置した例につき述べたが、この載置棚９にＶＴＲ等その他の電子機器を載置し、この電子機器と薄型テレビジョン受像機１とを複数本の信号ケーブルを介して同様に接続するようにしても良いことは勿論である。
【００３５】
また、本発明は上述例に限ることなく、本発明の要旨を逸脱することなく、その他種々の構成が採り得ることは勿論である。
【図面の簡単な説明】
【００３６】
【図１】本発明薄型テレビジョン受像機用スタンドを実施するための最良の形態の例の後ろ側から見た斜視図である。
【図２】図１の分解斜視図である。
【図３】本発明薄型テレビジョン受像機用スタンドを実施するための最良の形態の例に薄型テレビジョン受像機を固定した前方から見た斜視図である。
【図４】図１のＡ−Ａ線断面図である。
【図５】ケーブルホルダの例を示す斜視図である。
【図６】ケーブルホルダの例を示す斜視図である。
【図７】本発明の動作の説明に供する後方一部切り欠き斜視図である。
【図８】本発明薄型テレビジョン受像機用スタンドを実施するための最良の形態の他例の後ろ側から見た斜視図である。
【符号の説明】
【００３７】
１…薄型テレビジョン受像機、２…スタンドベース、３…底板、３ａ、３ｂ、４ａ、５ａ、６ａ…ケーブル収納用溝、４、５…側柱、６…天板、７…補強フレーム、８…セット固定部、９…載置棚、１０…信号ケーブル、１１、１２…ケーブルホルダ、１３…カバー、２０…ＤＶＤプレーヤ
【図１】
2007027873.tif 000003
【図２】
2007027873.tif 000004
【図３】
2007027873.tif 000005
【図４】
2007027873.tif 000006
【図５】
2007027873.tif 000007
【図６】
2007027873.tif 000008
【図７】
2007027873.tif 000009
【図８】
2007027873.tif 000010